(57)【要約】本発明の目的は非液状電解質を有する再充電可能バッテリを充電するための方法であり、バッテリが内部共振周波数を有している。充電工程が電流パルスを実行する少なくとも一つの充電インターバルを含んでおり、前記電流パルスの周波数が充電されるべきバッテリの内部共振周波数と本質的に同じである。周期的電流パルスからなる充電インターバルに続いて任意に第２緩和インターバルが挿入される。周期電流パルスからなる充電インターバルに続いて、任意に第２緩和インターバルが挿入される。このインターバルにおいて充電電流は再充電可能バッテリに印加されず、この間に任意に第２放電インターバルが適用される。第２緩和インターバル後、充電工程が連続充電電流からなるインターバルで実行され、その後任意の第１緩和インターバルが挿入され、この間に第２放電インターバルが任意に印加される。上述の工程のこのシーケンスは変更でき、かつ、バッテリの完全充電が達成されるまで反復して印加することができる。
2004527998.tif 000002
【特許請求の範囲】
【請求項１】
非液状電解質を伴い内部共振周波数を有するとともに充電中充電電流が電源によって供給される再充電可能バッテリの端子に印加される再充電可能バッテリを充電する方法であって、充電工程が電流パルス（Ｉｐ）で実行される少なくとも一つの充電インターバル（ａ）を含んでおり、前記電流パルスの周波数が充電されるべき再充電可能バッテリ（１）の内部共振周波数と本質的に等しいことを特徴とする非液状電解質を伴う再充電可能バッテリを充電する方法。
【請求項２】
周期電流パルス（Ｉｐ）のデューティファクタが１：１０と１０：１の間であることを特徴とする請求項１に記載の方法。
【請求項３】
前記電流パルス（Ｉｐ）のピーク電流が１・Ｃ５と７・Ｃ５の範囲にあることを特徴とする請求項１に記載の方法。
【請求項４】
周期電流パルス（Ｉｐ）のインターバル（ａ）の持続時間が２００ｍｓと１５００ｍｓの間の範囲であることを特徴とする請求項１に記載の方法。
【請求項５】
周期電流パルス（Ｉｐ）の周波数が１００Ｈｚと１００００Ｈｚの範囲内であることを特徴とする請求項１に記載の方法。
【請求項６】
周期電流パルス（Ｉｐ）からなる充電インターバル（ａ）に続いて、連続する充電電流（Ｉｃ）からなるインターバル（ｅ）で実行される充電の持続時間が２００ｍｓと１５００ｍｓの間の範囲にあり、周期電流パルス（Ｉｐ）伴う充電インターバル（ａ）が再度印加されることを特徴とする請求項１に記載の方法。
【請求項７】
前記連続充電電流（Ｉｃ）からなるインターバル（ｅ）が１・Ｃ５と７・Ｃ５の電流強度範囲内で実行されることを特徴とする請求項６に記載の方法。
【請求項８】
連続電流（Ｉｃ）を伴う充電インターバル（ｅ）と周期電流パルス（Ｉｐ）を伴う次の充電インターバル（ａ）との間に第１緩和インターバル（ｐ１）が挿入され、このインターバルで充電電流が再充電可能バッテリに印加されないことを特徴とする請求項６に記載の方法。
【請求項９】
第１緩和インターバル（ｐ１）の持続時間が１５００ｍｓ以下であることを特徴とする請求項８に記載の方法。
【請求項１０】
第１緩和インターバル（ｐ１）内で第１放電インターバル（ｇ）が適用され、その持続時間が５０ｍｓ以下であることを特徴とする請求項８に記載の方法。
【請求項１１】
周期電流パルス（Ｉｐ）からなる充電インターバル（ａ）と続いて適用される連続電流（Ｉｃ）からなるインターバル（ｅ）との間に第２緩和インターバル（ｐ２）が挿入され、このインターバルで充電電流が再充電可能バッテリに印加されないことを特徴とする請求項６に記載の方法。
【請求項１２】
第２緩和インターバル（ｐ２）の持続時間が１５００ｍｓ以下であることを特徴とする請求項１１に記載の方法。
【請求項１３】
第２緩和インターバル（ｐ２）内で第２放電インターバル（ｃ）が適用され、その持続時間が５０ｍｓ以下であることを特徴とする請求項１１に記載の方法。
【請求項１４】
非液状電解質を伴い充電されるべき再充電可能バッテリ（１）が内部共振周波数を有するとともに電流測定装置（４）を介して電源（２）が再充電可能バッテリ（１）の端子に接続されている再充電可能バッテリを充電する装置であって、電流測定装置（４）に付加してバッテリ（１）端子の一つと電源（２）間に被制御電流発生器（３）が挿入され、その制御入力に制御信号が制御ユニット（５）によって印加され、電流発生器（３）を介して再充電可能バッテリ（１）の端子に印加される充電電流の強度が前記制御信号によって制御されることを特徴とする非液状電解質を伴う再充電可能バッテリを充電する装置。
【請求項１５】
制御回路（５）が再充電可能バッテリ（１）の内部共振周波数に対応する周波数を有する方形パルスを提供し、前記方形パルスが制御電流発生器（３）の制御入力に印加され、前記電流発生器（３）が方形パルス・スペース中、充電電流を中断し、またパルス中電流発生器（３）を介して流れる充電電流を１・Ｃ５と７・Ｃ５の間の値に制御することを特徴とする非液状電解質を伴う再充電可能バッテリ（１）を充電することを特徴とする請求項１４に記載の装置。
【請求項１６】
充電されるべきバッテリ（１）の内部共振周波数に対応する周波数を有する方形パルスのデューティファクタが１：１０と１０：１の間にあることを特徴とする請求項１５に記載の装置。
【請求項１７】
電流測定装置（４）の出力が制御ユニット（５）に接続され、電流測定装置（４）によって提供されたフィードバック信号を基準にして制御ユニット（５）が電流発生器（３）による充電電流の強度を制御する請求項１５に記載の装置。
【請求項１８】
電流測定装置（４）がホール発生器によって実行されることを特徴とする請求項１７に記載の装置。
【請求項１９】
電流測定装置（４）が抵抗器によって実行され、その出力信号が抵抗器の両端に出現することを特徴とする請求項１７に記載の装置。
【請求項２０】
充電されるべき再充電可能バッテリ（１）の端子と並列に少なくとも一つの放電回路が接続され、この放電回路が抵抗器（７、７’）と被制御スイッチ（６、６’）の直列構成からなることを特徴とする請求項１４に記載の装置。
【請求項２１】
前記制御スイッチ（６）の制御入力に対して、放電インターバル（ｃ，ｇ）に対応してパルス（−ｉｄ１，−ｉｄ２）を導出する制御ユニット（５）の制御出力が接続されていることを特徴とする請求項２０に記載の装置。
【請求項２２】
制御スイッチ（６）がＦＥＴによって実行されることを特徴とする請求項２０に記載の装置。
【発明の詳細な説明】
【技術分野】
【０００１】
本発明は例えばゲル状電解質を除く非液状電解質を有するとともに内部共振周波数を有している再充電可能バッテリを充電する方法に関する。充電工程中において、充電電流がバッテリに印加される。本発明はさらに非液状電解質を有するバッテリの充電方法を実行するための回路構成に関し、電源が電流測定装置を介してバッテリ端子に接続される。
【背景技術】
【０００２】
数種の方法がバッテリの急速充電方法として知られており、充電電流が周期的に中断され、また充電の休止中短い放電または負荷が充電されるべきバッテリに付加される。これらの方法の目的は充電の持続時間をできる限り短縮し、貯蔵セルの適切な維持と形成によってバッテリの寿命を長くすることである。
【０００３】
バッテリの電荷貯蔵容量はＡｈ、アンペア時によって規定される。この値から、Ｃ５の値が時間＝アンペア時／時によって容量を割り算することによって導出され、従ってＣ５は電流ディメンジョンを有することになる。バッテリの充電電流はＣ５に比例して決定される。例えば、５５Ａｈ容量を有するバッテリについては、Ｃ５＝５５Ａである。バッテリの適切な充電電流はＣ５に比例して与えられ、例えば０．１・Ｃ５のように、従ってこの場合５．５Ａである。以後の説明において、この規定に基づいて用語Ｃ５を使用する。
【０００４】
米国特許第５，６００，２２６号の明細書に、バッテリの制御及び成端方法が開示されている。この方法の工程において、電圧はバッテリの端子で周期的に測定され、前回のこのような測定の結果と比較され、これら二つの測定結果の差異に基づいてバッテリの充電状態レベルが決定される。この公知の解決法によれば、充電は周期的に中断され、また充電の休止中、測定は短い放電パルス後に実行される。最初の段階で充電は最終充電率よりも低く、この最終率の約２０％で実行され、従って充電パルス幅が広くなることによって充電率が最終充電率まで高められる。この方法はバッテリが完全充電に達する時点で充電方法を全て終了する前に開発されてきた。バッテリの急速充電も達成される。
【０００５】
同様の急速充電法が国際特許願第ＷＯ００／７６０５０Ａ１号に開示されているが、その解決法において二つの連続する放電パルスが充電インターバル毎に印加される。二つの連続する放電パルスのそれぞれの後に、測定が実行され再充電バッテリの状態に関するより正確なデータが収集される。
【０００６】
本発明の目的は再充電可能バッテリを公知の方法よりも高速で充電が達成できる方法及び装置を提供することである。
【発明の開示】
【発明が解決しようとする課題】
【０００７】
充電時間の短縮がバッテリ内部の充電電流に起因する化学的変換を遅延することによって制限されることは周知である。再充電可能バッテリのセル内において化学的変換の率を高くすることができれば、充電時間を短縮することができる。従って、本発明の目的はこのような充電方法を提供することであって、再充電可能バッテリのセル内の分子移動を加速するとともに、この方法により化学的変換に要する時間とバッテリを完全充電するのに要する時間を短縮することができる。
【０００８】
再充電可能バッテリに印加され、これに要するパルス状充電電流の強度は充電パルスの周波数の関数であり、すなわち、再充電可能バッテリのインピーダンスが周波数に伴って変化することが理解される。充電パルス周波数を変えることによって、ピーク充電電流対バッテリの周波数が分かる。ピーク電流周波数はバッテリ毎に異なり、またその充電状態に左右される。本発明に基づく方法及びこの方法を実行する装置はこの認識に基づいている。
【課題を解決するための手段】
【０００９】
これまでに説明した本発明の目的は本発明に基づく方法によって達成され、その方法において充電工程が電流パルスで実行される少なくとも一つの充電インターバルを含んでおり、前記電流パルスの周波数が充電されるべき再充電可能バッテリの内部共振周波数に本質的に同じである。周期電流パルスのデューティファクタが１：１０と１０：１の間にあり、前記電流パルスのピーク電流が１・Ｃ５と７・Ｃ５の範囲にある。周期電流パルスのインターバルの持続時間が２００ｍｓと１５００ｍｓの間の範囲にあり、周期電流パルスの周波数が１００Ｈｚと１００００Ｈｚの範囲内にある。
【００１０】
この方法の利点は再充電可能バッテリの共振周波数におけるパルスで充電がなされたときに、多様な通常の充電電流が相当な熱消散とバッテリを損傷することなしに印加することができ、一方で集中的な内部分子移動がセル内で達成され、結果的に化学変換とバッテリの充電が相当加速されることになるという事実からなる。
【００１１】
本発明に基づく方法の好ましい実施形態によれば、充電が周期電流パルスからなる充電インターバルに続いて、連続する充電電流からなるインターバルで実行される充電の持続時間が２００ｍｓと１５００ｍｓの間の範囲にあり、周期電流パルスをう充電インターバルが再度印加される。前記連続充電電流からなるインターバルが１・Ｃ５と７・Ｃ５の電流強度範囲内で実行される。
【００１２】
この実施形態の利点は電流パルスによる充電工程中、バッテリが集中的充電を許容するように実質上準備され、これによって集中的充電が連続充電電流で適用できることである。
【００１３】
本発明に基づく方法のさらなる好ましい実施形態において、連続電流を伴う充電インターバルと周期的電流パルスを伴う次の充電インターバルとの間に第１緩和インターバルが挿入され、ここでは充電電流が再充電可能バッテリに印加されない。第１緩和インターバルの持続時間は１５００ｍｓ以下である。
【００１４】
この別の実施形態の利点は第１緩和インターバル中、化学的変換がさらに高められ、これによって周期的電流パルスによる次の充電がセル内の分子移動を再度効果的に達成させることである。
【００１５】
第１緩和インターバル内で、第１放電インターバルが印加されるが、この持続時間は５０ｍｓ以下である。この放電インターバルが再充電可能バッテリの充電能力に有利に影響する。
【００１６】
さらに好ましい実施形態によれば、周期的電流パルスからなる充電インターバルと連続電流からなる続いて印加されるインターバルとの間に第２緩和インターバルが挿入され、ここでは充電電流が再充電可能バッテリに印加されない。第２緩和インターバルの持続時間は１５００ｍｓ以下である。第２緩和周期内で、第２放電インターバルが印加され、その持続時間は５０ｍｓ以下である。
【００１７】
本発明に基づく方法を実行する装置において、充電されるべきバッテリは内部共振周波数を有するとともに電流測定装置を介して電源が再充電可能バッテリの端子に接続されている。本発明によれば、電流測定装置に付加してバッテリ端子の一つと電源間に制御電流発生器が挿入され、その制御入力に制御信号が制御回路によって印加され、電流発生器を介して再充電可能バッテリの端子に印加される充電電流の強度が前記制御信号によって制御される。
【００１８】
本発明による装置の好ましい実施形態によれば、制御回路が再充電可能バッテリの内部共振周波数に対応する周波数を有する方形パルスを提供し、前記方形パルスが制御電流発生器の制御入力に印加され、前記電流発生器が方形パルス・スペース中、充電電流を中断し、またパルス中電流発生器を介して流れる充電電流を１・Ｃ５と７・Ｃ５の間の値に制御する。充電されるべきバッテリの内部共振周波数に対応する周波数を有する方形パルスのデューティファクタが１：１０と１０：１の範囲である。
【００１９】
他の好ましい実施形態によれば、電流測定装置の出力が制御ユニットに接続され、電流測定装置によって提供されたフィードバック信号を基準にして制御ユニットが電流発生器による充電電流の強度を制御する。
【００２０】
電流測定装置がホール発生器によって、または抵抗器による簡単に実行され、その出力信号が抵抗器の両端に出現する。
【００２１】
本発明による放電インターバルを実行するために、充電されるべき再充電可能バッテリの端子と並列に少なくとも一つの放電回路が接続され、この放電回路が抵抗器と制御スイッチの直列構成からなる。従って、前記被制御スイッチの制御入力に、放電インターバルに対応してパルスを導出する制御ユニットの出力が接続される。
【００２２】
制御スイッチは公知の高速操作で、好ましくは半導体装置例えばＦＥＴによって実行される。
【００２３】
本発明による方法を適用する再充電可能バッテリの充電はその完全充電状態まで続行される。充電状態の状況、感知、表示は本発明の目的ではなく、この目的としては数種の他の解決法が周知である。
【００２４】
本発明による方法だけでなくこの方法を実行するための装置について以下に詳細に説明し、また典型的な実施形態を添付図面に示す。
【発明を実施するための最良の形態】
【００２５】
本発明による最初の最も簡単で可能な好ましい方法を図１に示すことができる。グラフの水平軸上に時間ｔ、垂直軸上に再充電可能バッテリの端子に印加される電流Ｉを描く。充電電流は充電されるべきバッテリの端子に充電回路を介して電源によって印加される。この電源はＡＣ電力線電圧に接続された整流器であるが、高電圧を伴うバッテリまたは同様のものも使用することができる。この実施形態によれば、異なる充電インターバル、すなわち、連続充電電流を伴う充電インターバルであるインターバルｅに続くパルス状充電インターバルであるインターバルａが充電電流に挿入される。
【００２６】
インターバルａは充電電流パルスを構成する充電インターバルである。パルス・シリーズの周波数は再充電可能バッテリの内部共振周波数と実質上同じである。この共振周波数は実際には１００と１００００Ｈｚの範囲にあるが、これより高い共振周波数を伴う再充電可能バッテリも知られている。パルスのデューティファクタ、すなわち、信号／ポーズ比は１：１０から１０：１の範囲内で選択することができる。インターバルａの持続時間は２００ｍｓと１５００ｍｓの範囲内が好ましい。この範囲内で、より正確な持続時間が再充電可能バッテリのタイプに従って経験的に決定される。
【００２７】
インターバルａにおいて、Ｉｐ電流パルスの強度が１・Ｃ５と７・Ｃ５の範囲内で好都合であり、その値はそれぞれの再充電可能バッテリのタイプに従って経験的に決定される。
【００２８】
インターバルａにおいて、再充電可能バッテリは比較的小さい電荷を吸収し、このインターバルのパルス・シリーズが電荷を吸収するための再充電可能バッテリのセルを実質的に準備する。インターバルａはインターバルｅに追従され、その持続時間は２００ｍｓと１５００ｍｓの間であるのが好ましく、このインターバルの最適持続時間も再充電可能バッテリのタイプに従って経験的に決定される。インターバルｅ内で充電電流パルスＩｃの値は一定であり、またその値は１・Ｃ５と７・Ｃ５の範囲内で好都合である。
【００２９】
インターバルａの持続時間及びインターバルｅの持続時間だけでなくインターバルａ内の最適電流パルスＩｐ、インターバルｅ内の充電電流Ｉｃは一定であると考えることができる。これらの値は任意のタイプ再充電可能バッテリで変わることはない。
【００３０】
図１から分かるように、上述したインターバルａ及びインターバルｅからなる部分が反復される。すなわち、インターバルｅの後に、再びインターバルａが続き、次にインターバルｅが続いている。この工程は再充電可能バッテリの充電が完全に達成されるまで、周期的に反復することができる。
【００３１】
図２において、再充電可能バッテリの充電方法を示すバリエーションで、ここではインターバルａ及びインターバルｅからなる周期の後に緩和インターバルｐ１が続いている。ｐ１中は充電電流は印加されない。この緩和インターバルｐ１中、再充電可能バッテリの内部化学変換がより効果的な充電アップテークを増進する。緩和インターバルｐ１の持続時間は実質的に非常に短く、好ましくは１５００ｍｓであり、このインターバルの最適持続時間も再充電可能バッテリのタイプに従って経験的に決定する必要がある。緩和インターバルｐ１に続いて、周期電流パルスシリーズからなるインターバルａが再度続いている。インターバルａ、ｅ及びｐ１のシーケンスが周期的に反復される。この工程は再充電可能バッテリの充電が完全に達成されるまで反復することがでる。
【００３２】
再充電可能バッテリの充電テークアップ容量は増大させることができ、緩和インターバルｐ１の持続時間中、短い放電インターバルｇが挿入され、この持続時間はせいぜい５０ｍｓである。この放電インターバルｇはインターバルｅの後せいぜい7００ｍｓ遅れて印加される。放電は制限された−Ｉｄ１電流で実行され、その強度はせいぜい７・Ｃ５である。
【００３３】
図３において、本発明による方法のさらなる好ましい実施形態を示す。この方法は図２に示した方法とは異なり、電流パルス・シリーズからなるインターバルａと連続充電電流インターバルｅとの間に第２緩和インターバルｐ２が挿入されている。緩和インターバルｐ２の持続時間は前記緩和インターバルｐ１と同じくらい任意に短くすることができるが、その持続時間は必ずしも同じでなくてもよい。緩和インターバルｐ２の最大持続時間も１５００ｍｓである。第２緩和インターバルｐ２内に第２放電インターバルｃが挿入される。その持続時間はせいぜい５０ｍｓである。この放電インターバルｃが電流パルスシリーズからなるインターバルａの後せいぜい7００ｍｓ遅れて印加される。この放電は制限された−Ｉｄ２電流で実行され、その強度はせいぜい７・Ｃ５である。
【００３４】
前述した例に関して説明した方法は再充電可能バッテリの完全充電時間を必ずしも適用しなくてもよい。再充電可能バッテリの連続充電電流が電流パルス・シリーズからなるインターバルａによるか、またはそれぞれ図１から３に示したインターバルａからｈすなわちｐ１、ｐ２によって中断されたとしても充電時間は効果的に短縮することができる。
【００３５】
再充電可能バッテリが完全にあるいはかなり放電しておれば、連続充電はこのような場合に充電工程の初期において望ましいことである。このようなバッテリでは、ほとんど共振現象はない。このような場合において、再充電可能バッテリは少なくともこのような充電レベルまで連続充電によって充電され、ここで再充電可能バッテリの内部共振が検出でき、またこのレベルから図１から３に示した方法を効果的に適用することができる。しかし、連続使用中の再充電可能バッテリは通常このような深いレベルまで放電されることはない。
【００３６】
本発明による方法を実行する本発明によるバッテリ充電装置の回路図を図４に示す。再充電可能バッテリ１に印加される充電電流は電源２または高電圧を伴う他の再充電可能バッテリ、あるいは制御電流発生器３を介する同様のものによって印加される。電流発生器３と再充電可能バッテリ１間に電流測定装置４が挿入される。再充電可能バッテリ１の両端子間に並列に被制御付加ユニットが接続されている。このユニットは抵抗器７と被制御スイッチ６の直列構成からなり、後者は例えばＦＥＴまたはトランジスタあるいは他の高速作動被制御スイッチ要素のような半導体スイッチ装置が好ましい。被制御スイッチ６の制御入力は制御回路５の出力Ｉｃｄ１に接続されている。
【００３７】
図１から３による方法は制御回路５、例えばプログラム可能関数発生器によって実行される。従って、制御回路５の制御入力Ｉｖは電流発生器３の制御入力に接続される。周期電流パルス・シリーズからなる充電インターバル中、前記制御出力Ｉｖは充電されるべき再充電可能バッテリ１の内部共振周波数と同一の周波数を有する方形パルスを提供し、その振幅はパルスＩｐの強度に比例する。この方形パルスはパルス中電流発生器３をオープンし、電流パルスＩｐを再充電可能バッテリ１に印加する。方形パルスの振幅は電流測定ユニット４を介して印加される充電電流パルスＩｐに比例する。
【００３８】
図４に示した本発明の好ましい実施形態によれば、再充電可能バッテリ１の正端子が制御ユニット５の電圧測定入力Ｕｍに接続されている。電流測定装置４の出力は制御回路５の電流測定入力Ｉｍに接続されている。
【００３９】
電流測定装置４は公知のホール発生器のような公知の電流計とすることができるが、図４に概略的に示したその両端に現れる電圧が再充電可能バッテリ１に流れる充電電流に比例する簡単な抵抗器も利用できる。さらに他の公知の電流測定要素がこの目的で利用できる。例として示すとともに図４に描写した電流測定抵抗器に印加される電圧は電圧測定入力Ｕｍ及び制御ユニット５の電流測定入力Ｉｍである。この電圧によって制御ユニット５が制御出力Ｉｖに現れる方形パルスの振幅を制御する。
【００４０】
制御出力Ｉｖに現れる方形パルスの周波数は制御ユニットの関数発生器上に設定することができ、もしバッテリ充電器が再充電可能バッテリの任意のタイプに利用されると、決められた周波数に設定される。経験によれば、方形パルスのデューティファクタは１：１０と１０：１の範囲内で変化することになり、これは再充電可能バッテリのタイプに従って経験的により正確に決定することができる。
【００４１】
制御ユニット５の関数発生器は、図３に示した緩和インターバルｐ１または緩和インターバルｐ２だけでなく同様の方法でインターバルｅを提供する。インターバルｅの間、出力Ｉｖで連続信号が現われる一方で緩和インターバルｐ１及びｐ２の間、休止状態にある電流発生器３はまったく充電電流を送り出さない。
【００４２】
本発明による方法にある間、緩和インターバルｐ１及びｐ２中、任意に適用可能な放電インターバルｃ及びｇが抵抗器７及び被制御スイッチ６からなる直列放電回路ないし負荷回路によってそれぞれ実行される。この目的のために、制御ユニット５が出力Ｉｃｄ１を介してパルスを好ましくは上述した関数発生器によって生成された被制御スイッチ６の制御入力に供給される。前記パルスの持続時間はインターバルｃ及びｇの持続時間にそれぞれ対応している。前記パルスの結果、スイッチ６が閉され、また抵抗器７によって決定された放電電流及びバッテリ１の電圧がパルスの持続時間に再充電可能バッテリ１に印加される。
【００４３】
緩和インターバルｐ１及びｐ２にある場合において、インターバルｃ及びｇ中の−Ｉｄ１及び−Ｉｄ２放電電流は異なり、被制御スイッチ６’及び抵抗器７’からなるさらなる負荷回路が再充電可能バッテリ１の端子に並列に接続される。被制御スイッチ６’の入力が制御ユニット５の出力Ｉｃｄ２に接続される。負荷回路は二つの異なる抵抗器７及び７’からなり異なる放電電流−Ｉｄ１及び−Ｉｄ２を再充電可能バッテリ１に供給する。
【００４４】
制御ユニット５は充電に先立って試験が再充電可能バッテリ１に対して実行できるような方法で完成できる。この試験結果は記憶でき、また充電工程は記憶データに基づいて実行することができる。例えば、最初の試験周期において、制御ユニット５の関数発生器が１００Ｈｚと１００００Ｈｚ間の連続して変動する動揺周波数を有する方形パルスを提供し、その振幅は充電中に使用される方形パルスの振幅よりも相当低く、例えば０．１・Ｃ５の値を有している。この理由のために、図４に示すように電源２と電流測定装置４間に被制御スイッチ８と抵抗器９の直列構成が挿入されている。被制御スイッチ８の制御入力は制御ユニット５の出力Ｉｔに接続されている。
【００４５】
試験操作の目的で、低い測定電流パルス・シリーズを印加させなければならず、周波数が変化したときに例えそれが共振周波数であっても再充電可能バッテリに印加される測定充電電流が飽和電流に達しない。この電流は抵抗器９によって設定することができる。
【００４６】
電圧測定入力Ｕｍと電流測定入力Ｉｍ間に現われる電流測定装置４によって測定される動揺周波数を有する試験充電電流に比例する電圧は方形パルスの瞬時周波数における再充電可能被試験バッテリの内部抵抗に比例する。この測定充電電流パルス・シリーズは再充電可能被試験バッテリの共振周波数であるパルス周波数の関数としてピーク値を有している。
【００４７】
もちろん、電流発生器３、スイッチ８及び抵抗器９は単一回路としても一体化することができ、この場合再充電可能バッテリの試験工程及び充電工程両者を実行することができる。
【００４８】
本発明による方法はリチウム−イオン、ＮｉＣｄ、ＮｉＭＨ及びゲル電解質（ＳＬＡ）を伴う鉛蓄電池のような非液状電解質を有する再充電可能バッテリの充電に使用することを意図している。
【図面の簡単な説明】
【００４９】
【図１】本発明の最も簡単な方法による時間の関数として充電電流を描いたグラフである。
【図２】本発明の第２の好ましい方法による時間の関数として充電電流を描いたグラフである。
【図３】本発明の第３の好ましい方法による時間の関数として充電電流を描いたグラフである。
【図４】本発明による方法を実行するための装置の概略回路図である。
【国際公開パンフレット】
2004527998.tif 000003
2004527998.tif 000004
2004527998.tif 000005
2004527998.tif 000006
2004527998.tif 000007
2004527998.tif 000008
2004527998.tif 000009
2004527998.tif 000010
2004527998.tif 000011
2004527998.tif 000012
2004527998.tif 000013
2004527998.tif 000014
2004527998.tif 000015
2004527998.tif 000016
2004527998.tif 000017
2004527998.tif 000018
2004527998.tif 000019
2004527998.tif 000020
2004527998.tif 000021
2004527998.tif 000022
【国際公開パンフレット（コレクトバージョン）】
2004527998.tif 000023
2004527998.tif 000024
【国際公開パンフレット（コレクトバージョン）】
2004527998.tif 000025
2004527998.tif 000026
【国際調査報告】
2004527998.tif 000027
2004527998.tif 000028
2004527998.tif 000029